(57)【特許請求の範囲】
【請求項１】
一端に口金を有し他端が開口しこの他端から距離をおいた内面側にその断面が開口側から挿入しやすい形状のテーパとなるように突出形成された係合部およびこの係合部よりも他端側の内面から突出形成された位置決当接部を有する基体と；
蛍光ランプと；
円筒状の円筒状部およびこの円筒状部の周側面で基体挿入方向先端側から距離をおいた位置に形成され、基体の開口側から挿入されてから基体の係合部のテーパを越えて係合する係合爪を有しこの係合爪が係合した状態で円筒状部の基体挿入方向先端が基体の位置決当接部に当接して基体に取付けられ、蛍光ランプが装着された保持体と；
を具備したことを特徴とする蛍光ランプ装置。
【請求項２】
透光性を有し基体に取り付けられ基体とともにほぼ電球型となるグローブを具備したことを特徴とする請求項１記載の蛍光ランプ装置。
【請求項３】
基体は、口金側の内周が開口している側より径小で、保持体は、係合爪より挿入方向先端は挿入方向後端より径小に形成されていることを特徴とする請求項１または２記載の蛍光ランプ装置。
【請求項４】
保持体の外周面の係合爪の近傍に設けられ基体の係合部を保持体の挿入時にガイドするガイド部を具備したことを特徴とする請求項１ないし３いずれか一記載の蛍光ランプ装置。
【発明の詳細な説明】
【０００１】
【発明の属する技術分野】
本発明は、一端に口金を有する片口金の蛍光ランプ装置に関する。
【０００２】
【従来の技術】
従来、この種の蛍光ランプ装置は、一端に口金を有し他端が開口された基体を有し、蛍光ランプが装着された保持体を基体に取り付け、さらに、基体とともにほぼ電球型を形成するグローブを基体に取り付けている。
【０００３】
また、基体に保持体を取り付ける構造としては、基体の内面に係合部を形成し、保持体の基体側の先端に係合爪を突出形成し、この保持体の先端の係合爪を基体の内面の係合部に係合して、基体に保持体を取り付けている。
【０００４】
【発明が解決しようとする課題】
しかしながら、保持体の先端に係合爪を形成する場合、係合爪の強度を保持するために、係合爪の周囲を肉厚にするなどが必要になり、このように係合爪の周囲を肉厚にすることによりひけが生じたり寸法精度が出しにくく、組立性に問題を有している。
【０００５】
本発明は、上記問題点に鑑みなされたもので、組立性を向上した蛍光ランプ装置を提供することを目的とする。
【０００６】
【課題を解決するための手段】
請求項１記載の蛍光ランプ装置は、一端に口金を有し他端が開口しこの他端から距離をおいた内面側にその断面が開口側から挿入しやすい形状のテーパとなるように突出形成された係合部およびこの係合部よりも他端側の内面から突出形成された位置決当接部を有する基体と；蛍光ランプと；円筒状の円筒状部およびこの円筒状部の周側面で基体挿入方向先端側から距離をおいた位置に形成され、基体の開口側から挿入されてから基体の係合部のテーパを越えて係合する係合爪を有しこの係合爪が係合した状態で円筒状部の基体挿入方向先端が基体の位置決当接部に当接して基体に取付けられ、蛍光ランプが装着された保持体と；を具備したものである。
【０００７】
そして、保持体の係合爪を円筒状の円筒状部の周側面で基体挿入方向先端側から距離をおいた位置に形成することにより、係合爪の周囲の肉厚を厚くするなどの補強をすることなく強度を得ることができるため、ひけが生じたりあるいは寸法精度が低下することがないため、保持体と基体との組立の精度が向上する。また、保持体の端部から突出形成された係合爪がないので、こうした場合には、自動組立などをする際に不具合が起こることを抑制できる。また、保持体の係合爪がテーパを有する係合部に係合し円筒状部の基体挿入方向先端が基体の位置決当接部に当接して基体に取付けられるので組立性が向上する。
【０００８】
請求項２記載の蛍光ランプ装置は、請求項１記載の蛍光ランプ装置において、透光性を有し基体に取り付けられ基体とともにほぼ電球型となるグローブを具備したもので、組立性を向上して電球型を形成する。
【０００９】
請求項３記載の蛍光ランプ装置は、請求項１または２記載の蛍光ランプ装置において、基体は、口金側の内周が開口している側より径小で、係合爪は、保持体の基体挿入方向先端側から距離をおいた位置に形成され、保持体は、係合爪より挿入方向先端は挿入方向後端より径小に形成されているもので、基体は口金側の内周が径小であるが、挿入方向先端の径を小さくすることにより、保持体の挿入方向先端から係合爪までの距離を大きくとれる。
【００１０】
請求項４記載の蛍光ランプ装置は、請求項１ないし３いずれか一記載の蛍光ランプ装置において、保持体の外周面の係合爪の近傍に設けられ基体の係合部を保持体の挿入時にガイドするガイド部を具備したもので、基体の係合部をガイドすることにより、保持体を基体に挿入する際の製造時の位置決めが容易になる。
【００１１】
【発明の実施の形態】
以下、本発明の蛍光ランプ装置の一実施の形態を図１ないし図４を参照して説明する。
【００１２】
図１は蛍光ランプ装置の一部を切り欠いた側面図、図２は基体と保持体との組立状態を示す断面図、図３は蛍光ランプ装置のケース体の断面図、図４は口金近傍を示す断面図である。
【００１３】
図１に示すように、蛍光ランプ装置１は、蛍光ランプ２を有し、正方形の四隅に配置され断面円形でＵ字型に屈曲された管内径６ｍｍないし９ｍｍで高さが５０ｍｍないし６５ｍｍの２つのガラス製のバルブ３を有し、２００ｍｍないし３００ｍｍの長さの屈曲された１つの放電路が形成されている。
【００１４】
また、この蛍光ランプ２は、ＰＢＴなどのプラスチック製の保持体としての仕切体４に取り付けられている。すなわち、この仕切体４は、図１ないし図３に示すように、挿入方向先端が開口したほぼ円筒状の円筒状部５を有し、この円筒状部５の軸方向の長さはたとえば約２０ｍｍで、この円筒状部５の挿入方向の先端から７ｍｍの位置、すなわち仕切体４の挿入方向ほぼ中央部には周方向に沿ってフランジ部６が突出形成され、このフランジ部６と同周位置に所定間隔を持って挿入しやすく抜けにくいように挿入方向先端側にテーパを有する係合爪７が複数形成されている。なお、フランジ部６より挿入方向後端側の上円筒部８よりフランジ部６より挿入方向先端側の下円筒部９のほうが径小に形成されている。また、係合爪７の挿入方向の先端側には、この係合爪７の両側に沿って先端が挿入方向に傾斜して係合爪７に位置決めしやすいようなテーパを有するガイド部10が形成されている。さらに、挿入方向基端側には仕切板11により閉塞されている。この仕切板11には蛍光ランプ２のバルブ３が挿入保持される円形の挿入孔12がバルブ３の位置に合わせて形成されている。
【００１５】
さらに、仕切体４はＰＢＴなどのプラスチック製の基体15に嵌合保持されている。すなわち、この基体15は基端側にほぼ円筒状の基部16を有し、この基部16の上方に上方に向けて拡開した拡開部17が形成され、この拡開部17の上部先端は開口縁18が形成されている。また、この拡開部17よりやや距離を介して仕切体４を挿入しやすく抜けにくい方向にテーパを有する係合部19が突出形成され、この係合部19の下部側には係合爪７の先端が挿入される凹部20が形成され、さらに、仕切体４の挿入側の先端の縁が当接する位置決当接部21が軸方向に沿って内面に複数個突出形成されている。また、拡開部17内の空間には図示しない点灯回路が収納され、基部にはこの点灯回路から引き出されるリード線を挿通する切欠部22が切り欠き形成されている。なお、仕切体４により点灯回路と蛍光ランプ２側を仕切り互いの熱影響などを防止する。
【００１６】
また、基体15の基部16にはＥ２６型などのエジソン型の口金25が取り付けられている。この口金25は、図４に示すように、ガラスなどの絶縁体26の先端に断面ほぼコ字状の先端口金部27が取り付けられ、この先端口金部27と間隔を介して円筒状でソケットに螺合される螺合部28を有し、先端側に絶縁体26内に挿入保持される保持片部29を有する螺合口金部30が取り付けられている。なお、絶縁体26の内面側には基体15の収納空間を大きくするため、たとえば図示しない電解コンデンサが収納される収納凹部31が形成されているが、螺合口金部30の保持片部29の形状を絶縁体26の外形に沿った形状で曲率半径を大きくし先端が先端口金部27の方向に向いて絶縁体26内への侵入量を小さくしているため、従来の螺合口金部のように保持片部が折り返されるように小さな曲率半径ではないため、絶縁体26を大型化することなく、ガラス肉厚である距離ｄを８．５ｍｍ以下として絶縁性を保持するとともに強度を保った状態で収納凹部31を大きく形成できる。そして、口金25を含めた基体15の高さは、１００ｍｍないし１２５ｍｍである。
【００１７】
さらに、基体15の開口側には蛍光ランプ２を内包して透光性を有するグローブ35が取り付けられている。すなわち、グローブ35は基体15とともにほぼ電球の形態をし、グローブ35の基端側に径小な径小部36が形成され、この径小部36が基体15の開口縁18内に位置し、径小部36の先端が係合部19に当接し、この状態でグローブ35および基体15間に接着剤を注入し、基体15にグローブ35を取り付ける。
【００１８】
上述のように、基体15の係合部19に係合する仕切体４の係合爪７を仕切体４の挿入方向の中間に設けることにより、従来のように端部に設けるのと異なり、係合爪の折れなどを防止するための補強として端部の肉厚を厚くする必要がなく、ひけの発生や寸法精度の低下が生ずることがないので、組立性が向上する。
【００１９】
また、仕切体４の係合爪７の上部の上円筒部８より下部の下円筒部９の外形を小さくすることにより、蛍光ランプ２が装着される仕切板11の面積を小さくすることなく、基体15内に挿入される距離を長くする。
【００２０】
さらに、基体15の係合部19は、仕切体４の係合爪７の両側に形成されたガイド部10によりガイドされて挿入されるため、製造が容易になる。
【００２１】
次に、他の実施の形態の蛍光ランプ装置を図５を参照して説明する。
【００２２】
図５は蛍光ランプ装置の一部を切り欠いた側面図で、この図５に示す蛍光ランプ装置41は、図１に示す蛍光ランプ装置１において、基体42とグローブ43とでボール型電球の形状にしたものである。
【００２３】
このため、基体42は基端側にほぼ円筒状の基部44を有し、この基部44の上方に上方に向けて拡開した拡開部45が形成され、上部先端は開口縁46が形成されている。また、拡開部45の途中の部分から内方に向けて円筒状の係合筒47が形成され、上部先端は開口縁48が形成されるとともに仕切体４を挿入しやすく抜けにくい方向にテーパを有する係合部49が突出形成され、仕切体４の挿入側の先端の縁が当接する位置決当接部51が軸方向に沿って内面に複数個突出形成されている。また、拡開部17内の空間には図示しない点灯回路が収納され、基部16にはこの点灯回路から引き出されるリード線を挿通する図示しない切欠部が切り欠き形成されている。
【００２４】
また、グローブ43の開口周囲も径小に形成され、基体42の拡開部45の開口縁46内に収納され、接着剤などが注入されて取り付けられている。
【００２５】
なお、作用、効果について図１ないし図４に示す実施の形態と同様である。
【００２６】
また、他の実施の形態の蛍光ランプ装置を図６および図７を参照して説明する。
【００２７】
図６は蛍光ランプ装置の一部を切り欠いた側面図で、図７は保持体を示す側面図である。
【００２８】
この図６および図７に示す蛍光ランプ装置61は、図１ないし図４に示す実施の形態において、グローブおよび仕切板を取り除き、保持体としての固定体62を基体15に取り付けたものである。
【００２９】
そして、固定体62は、図６に示すように、挿入方向先端が開口したほぼ円筒状の円筒状部63を有し、この円筒状部63の軸方向の長さはたとえば約２０ｍｍで、この円筒状部63の挿入方向の先端から９．５ｍｍの位置、すなわち固定体62の挿入方向ほぼ中央部には挿入方向先端側にテーパを有する係合爪64が複数形成されている。また、この係合爪64の上方には、基体15の外面から連続して形状を整える傾斜面部65が形成されており、挿入方向後端側には固定板66により閉塞されている。この固定板66には蛍光ランプ２のバルブ３が挿入保持される円形の挿入孔がバルブ３の位置に合わせて形成されている。
【００３０】
なお、作用、効果について図１ないし図４に示す実施の形態と同様である。
【００３１】
【発明の効果】
請求項１記載の蛍光ランプ装置によれば、円筒状の円筒状部の周側面で基体挿入方向先端側から距離をおいた位置に係合爪を形成することにより、係合爪の周囲の肉厚を厚くするなどの補強をすることなく強度を得ることができるため、ひけが生じたりあるいは寸法精度が低下することがないため、保持体と基体との組立の精度を向上できる。また、保持体の係合爪がテーパを有する係合部に係合し円筒状部の基体挿入方向先端が基体の位置決当接部に当接して基体に取付けられるので組立性が向上する。
【００３２】
請求項２記載の蛍光ランプ装置によれば、請求項１記載の蛍光ランプ装置に加え、透光性を有し基体に取り付けられ基体とともにほぼ電球型となるグローブを具備したので、組立性を向上して電球型を形成できる。
【００３３】
請求項３記載の蛍光ランプ装置によれば、請求項１または２記載の蛍光ランプ装置に加え、基体は口金側の内周が開口している側より径小で、保持体はほぼ円筒状で係合爪より挿入方向先端は挿入方向後端より径小に形成されているので、基体は口金側の内周が径小であるが、挿入方向先端の径を小さくすることにより、保持体の挿入方向先端から係合爪までの距離を大きくとることができる。
【００３４】
請求項４記載の蛍光ランプ装置によれば、請求項１ないし３いずれか一記載の蛍光ランプ装置に加え、保持体の外周面の係合爪の近傍に設けられ基体の係合部を保持体の挿入時にガイドするガイド部を具備したので、保持体を基体に挿入する際の製造時の位置決めを容易にできる。
【図面の簡単な説明】
【図１】本発明の一実施の形態の蛍光ランプ装置の一部を切り欠いた側面図である。
【図２】同上基体と保持体との組立状態を示す断面図である。
【図３】同上蛍光ランプ装置のケース体の断面図である。
【図４】同上口金近傍を示す断面図である。
【図５】同上他の実施の形態の蛍光ランプ装置の一部を切り欠いた側面図である。
【図６】同上また他の実施の形態の蛍光ランプ装置の一部を切り欠いた側面図である。
【図７】同上保持体を示す側面図である。
【符号の説明】
１，41，61    蛍光ランプ装置
２    蛍光ランプ
４    保持体としての仕切体
５ 円筒状部
７，64    係合爪
10    ガイド部
15，42    基体
19，49    係合部
25    口金
35，43    グローブ
62    保持体としての固定体
【図１】
0003991248.tif 000002
【図２】
0003991248.tif 000003
【図３】
0003991248.tif 000004
【図４】
0003991248.tif 000005
【図５】
0003991248.tif 000006
【図６】
0003991248.tif 000007
【図７】
0003991248.tif 000008